(57)【要約】概して、エンジンバルブの動きを制御する可変力バルブスプリングを含む装置及び関連する方法が開示されている。バルブスプリングによって加えられる力は、流体チャンバーの容積を変化させるか、及び/又は流体圧がエンジンバルブに結合される凝集表面積を変化させることにより、流体が流体チャンバーに供給される圧力を変えることによって調整され得る。関連する流体制御システムもまた、エンジン速度、エンジン負荷、及び/又はそれらの組み合わせのような種々のエンジンパラメータに基づいて、バルブスプリングの力を調整するための様々な方法であるとして、本明細書に開示されている。
2014508241.tif 000002
【特許請求の範囲】
【請求項１】
エンジンバルブに結合された空気圧バルブスプリング、及び
エンジン速度とエンジン負荷の少なくとも一方に基づいて、当該空気圧バルブスプリングのスプリング力を調整するように構成された制御モジュール、
を備えることを特徴とするエンジン。
【請求項２】
当該制御モジュールは、エンジン速度が第１の速度閾値を超えたとき、スプリング力を増加させるように構成されていることを特徴とする請求項１に記載のエンジン。
【請求項３】
当該制御モジュールは、エンジン負荷が第１の負荷閾値を超えたとき、スプリング力を増加させるように構成されていることを特徴とする請求項１に記載のエンジン。
【請求項４】
当該制御モジュールは、エンジン速度が第１の速度閾値より低いとき、スプリング力を減少させるように構成されていることを特徴とする請求項１に記載のエンジン。
【請求項５】
当該制御モジュールは、エンジン負荷が第１負荷閾値より低いとき、スプリング力を減少させるように構成されていることを特徴とする請求項１に記載のエンジン。
【請求項６】
当該第１の速度閾値は、３０００ｒｐｍであることを特徴とする請求項１に記載のエンジン。
【請求項７】
当該第１の速度閾値は、エンジンのアイドル速度の４倍より高いことを特徴とする請求項２に記載のエンジン。
【請求項８】
当該第１の負荷閾値は、エンジンの最大負荷の５０％であることを特徴とする請求項３に記載のエンジン。
【請求項９】
当該第１の負荷閾値は、エンジンのアイドル負荷の３倍より高いことを特徴とする請求項３に記載のエンジン。
【請求項１０】
バルブスプリングシステムであって、
その中に配置された往復するピストンを有する容器、
当該ピストンに結合されたエンジンバルブ、
第１の圧力を有する第１の加圧空気源、
第１圧力よりも大きい第２の圧力を有する第２の加圧空気源、及び
当該容器と当該第１の加圧空気源との間の第１の流体連通、及び当該容器と当該第２の加圧空気源との間の第２の流体連通を制御することにより、当該ピストンに作用する力を調整するように構成された制御バルブ、
を備えることを特徴とするバルブスプリングシステム。
【請求項１１】
当該エンジンバルブは、ロストモーションシステムによって作動されることを特徴とする請求項１０に記載のバルブスプリングシステム。
【請求項１２】
当該エンジンバルブは、外方に開くことを特徴とする請求項１０に記載のバルブスプリングシステム。
【請求項１３】
当該エンジンバルブは、分割サイクルエンジンにおけるクロスオーバーバルブであることを特徴とする請求項１０に記載のバルブスプリングシステム。
【請求項１４】
当該第２の加圧空気源には、分割サイクルエンジンのクロスオーバー通路から供給されることを特徴とする請求項１３に記載のバルブスプリングシステム。
【請求項１５】
当該クロスオーバー通路内のクロスオーバーチャージによって当該エンジンバルブに作用する第１の力、及び当該ピストンによって当該エンジンバルブに作用する第２の力は、一緒に当該エンジンバルブに作用する燃焼力を上回ることを特徴とする請求項１３に記載のバルブスプリングシステム。
【請求項１６】
当該第１の圧力は、約１バール〜１０バールの間であることを特徴とする請求項１０に記載のバルブスプリングシステム。
【請求項１７】
当該第２の圧力は、約２０バールと約８５バールとの間であることを特徴とする請求項１０に記載のバルブスプリングシステム。
【請求項１８】
当該制御バルブを作動させるように構成されている制御モジュールをさらに備えることを特徴とする請求項１０に記載のバルブスプリングシステム。
【請求項１９】
請求項１０に記載のバルブスプリングシステムを備えることを特徴とするエンジン。
【請求項２０】
バルブスプリングシステムであって、
第１のボアを画定するキャップ、
エンジンバルブに結合されたピストンであって、当該ピストン及びキャップが第１の流体チャンバーを画定するように、当該第１のボア内に摺動可能に配置されたピストン、
第２のボアを画定する外側ハウジングであって、当該キャップ及び当該外側ハウジングが第２の流体チャンバーを画定するように、当該キャップが当該第２のボア内に摺動可能に配置されている外側ハウジング、及び
当該第２の流体チャンバーから加圧流体を選択的に解放するように構成された流体ポートであって、それにより、当該第１の流体チャンバーの容積が増大されるように、当該キャップが当該外側ハウジングに対して摺動するのを許容する流体ポート、
を備えることを特徴とするバルブスプリングシステム。
【請求項２１】
当該キャップは、前記第１の流体チャンバーと流体連通する少なくとも１つの開口を備えていることを特徴とする請求項２０に記載のバルブスプリングシステム。
【請求項２２】
当該開口は、完全なエンジンサイクルを通して加圧流体の供給ラインと流体連通したまま残っていることを特徴とする請求項２１に記載のバルブスプリングシステム。
【請求項２３】
当該第１の流体チャンバー内に配置された流体は、当該エンジンバルブが開いているときは、当該開口を通って当該第１の流体チャンバーから押し出されることを特徴とする請求項２２に記載のバルブスプリングシステム。。
【請求項２４】
当該第１の流体チャンバーは、当該エンジンバルブが閉じているときは、当該開口を通して流体で充填されていることを特徴とする請求項２１に記載のバルブスプリングシステム。
【請求項２５】
当該第１の流体チャンバーの圧力は、当該エンジンバルブが少なくとも１００度のクランク角度に亘り閉じられているときに、当該第２の流体チャンバーの圧力と実質的に等しいことを特徴とする請求項２０に記載のバルブスプリングシステム。
【請求項２６】
請求項２０に記載のバルブスプリングシステムによってエンジンバルブに作用するスプリング力を変化させる方法であって、
当該第２の流体チャンバーから圧力を解放し、当該エンジンバルブに作用するスプリング力を高めるために、通気孔へ当該流体ポートを結合するステップと、
第２の流体チャンバーの圧力を高め、当該エンジンバルブに作用するスプリング力を減少させるために、当該流体ポートを加圧流体の供給源に結合するステップと、
を含むことを特徴とする方法。
【請求項２７】
当該スプリング力は、当該エンジンの負荷が第１の所定の閾値を超えると増加され、当該エンジンの負荷が第２の所定の閾値より下であるときには減少されることを特徴とする請求項２６に記載の方法。
【請求項２８】
当該スプリング力は、当該エンジンの速度が第１の所定の閾値を超えると増加され、当該エンジンの速度が第２の所定の閾値より下であるときには減少されることを特徴とする請求項２６に記載の方法。
【請求項２９】
バルブスプリングシステムであって、
第１のピストンが往復可能に配置され、第１のボアを画定する第１のハウジングであって、当該第１のピストンがエンジンバルブのバルブステムに連結されている第１のハウジング、
第２のピストンが往復可能に配置され、第２のボアを画定する第２のハウジングであって、当該第２のピストンが延長ステムに連結されている第２のハウジング、
油圧プレナムを画定する第３のハウジングであって、当該油圧プレナムが当該バルブステムの近位端部、当該延長ステムの遠位端部、及び制御バルブと流体連通している第３のハウジング、を備え、
当該プレナムは、当該バルブステムが延長ステムから独立して移動可能であるように、当該制御バルブが開かれたときにアキュムレータと流体連通し、そして、当該プレナムは、当該バルブステムの動きが当該延長ステムの移動を必要とするように、前記制御バルブが閉じられたときに、シールされることを特徴とするバルブスプリングシステム。
【請求項３０】
当該第１のハウジング、第２のハウジング、及び第３のハウジングは一体に形成されていることを特徴とする請求項２９に記載のバルブスプリングシステム。
【請求項３１】
当該第１ハウジングと第１のピストンによって画定された第１の流体チャンバーには、当該第１のハウジングに形成された第１の開口を通って加圧流体が供給され、当該第２ハウジングと第２のピストンによって画定された第２の流体チャンバーには、当該第２のハウジングに形成された第２の開口を通って加圧流体が供給されることを特徴とする請求項２９に記載のバルブスプリングシステム。
【請求項３２】
当該第１の流体チャンバー内に配置された流体は、当該エンジンバルブが開いているときには、当該第１の開口を介して当該第１の流体チャンバーから押し出されることを特徴とする請求項３１に記載のバルブスプリングシステム。
【請求項３３】
当該第１の流体チャンバー内に配置された流体は、当該エンジンバルブが開いており、当該制御バルブが閉じているときには、当該第２の開口を介して当該第２の流体チャンバーから押し出されることを特徴とする請求項３１に記載のバルブスプリングシステム。
【請求項３４】
請求項２９に記載のバルブスプリングシステムによってエンジンバルブに作用するスプリング力を変化させる方法であって、
流体圧が当該エンジンバルブに結合され、それによりスプリング力を増大させる、凝集表面積を増大させるために当該制御バルブを閉じるステップと、
流体圧がエンジンバルブに結合され、それによりスプリング力を低下させる、凝集表面積を減少させるために当該制御バルブを開くステップと、
を含むことを特徴とする方法。
【請求項３５】
当該スプリング力は、エンジンの負荷が第１の所定の閾値を超えるときに増加し、エンジンの負荷が第２の所定の閾値より下であるときに低下されることを特徴とする請求項３４に記載の方法。
【請求項３６】
当該スプリング力は、当該エンジンの速度が第１の所定の閾値を超えると増加され、当該エンジンの速度が第２の所定の閾値より下であるときには低下されることを特徴とする請求項３４に記載の方法。
【請求項３７】
エンジンのバルブを作動させる方法であって、エンジンパラメータの増大に基づいて当該バルブに関連付けられたバルブスプリングのスプリング力を増加させ、そして前記エンジンパラメータの低下に基づいて当該バルブスプリングのスプリング力を低下させることを備えることを特徴とする方法。
【請求項３８】
エンジンパラメータは、エンジン速度、エンジン負荷、エンジン温度、スロットル位置、及びエンジン年齢からなる群から選択されることを特徴とする請求項３７に記載の方法。
【請求項３９】
スプリング力は、当該バルブスプリングの流体チャンバーに供給される圧力を増大させることによって増大されることを特徴とする請求項３８に記載の方法。
【請求項４０】
スプリング力は、当該バルブスプリングの流体チャンバーの容積を減少させることによって増大されることを特徴とする請求項３８に記載の方法。
【請求項４１】
スプリング力は、流体圧が当該エンジンバルブに結合されている、凝集表面積を増大させることによって増大されることを特徴とする請求項３８に記載の方法。
【発明の詳細な説明】
【技術分野】
【０００１】
本出願は、２０１１年１月２７日に出願された米国仮特許出願第６１/４３６、７３９号の優先権の利益を主張し、全体の内容は参照により本明細書に組み込まれている。
【０００２】
本発明は、エンジンバルブを作動させるための方法及び装置に関するものである。より詳しくは、本発明は可変力バルブスプリング及びそれに関連する方法に関する。
【背景技術】
【０００３】
内燃機関は、一般に、エンジンを通る空気と燃料の流れを制御するための１つ以上のバルブを含む。これらのバルブは、通常、機械的なカムによって作動される。例えば、涙滴状のカムローブを有する回転シャフトが、直接又は１つ以上の中間エレメントを介して、バルブに運動を与えるように構成されることができる。シャフトが回転すると、カムローブの偏心部分が、シャフトの回転範囲に亘ってバルブに直線運動を与える。
【０００４】
当該バルブを特定の位置（すなわち、開いた又は閉じた）に向けて付勢することがしばしば必要である。従来の内燃機関において、当該バルブは、一般に、内方に開く（すなわち、燃焼室内に、ピストンに向かって開く）であり、１つ以上の機械的なバルブスプリングによって閉位置に付勢されている。このシステムの１つの問題は、当該バルブスプリングを圧縮するのに必要な力の大きさを変更または制御する方法がないことである。機械的なスプリングは、一般的に、それらが十分な適合した力を有しており、当該エンジンがその作動範囲に亘って経験するであろう、非常にまれな状況でのみ遭遇する可能性がある、条件の最も厳しいのを取り扱うのに十分に剛性であるように選択される。換言すると、当該バルブスプリングは、エンジンの作動範囲の大部分のために必要とされるものよりもはるかに強力である。従来の内燃機関において、より強いバルブスプリングは、より大きなロッカーシャフト及びカムシャフトの軸受摩擦を生成し、エンジンの寄生損失及びエンジン全体の効率を低下させる貢献する。
【先行技術文献】
【特許文献】
【０００５】
【特許文献１】米国特許第６５４３２２５号明細書
【特許文献２】米国特許第６９５２９２３号明細書
【特許文献３】米国特許第７３５３７８６号明細書
【特許文献４】米国特許出願第６１/３６５、３４３号明細書
【特許文献５】米国特許出願第６１/３１３、８３１号明細書
【発明の概要】
【発明が解決しようとする課題】
【０００６】
従来の機械的なバルブスプリングはまた、「ロストモーション」バルブトレインシステムにはあまり適していない。ロストモーションシステムは、一般に、ロストモーションバルブトレインエレメントが、カムの回転の一部中に、バルブをカムから作用的に切り離すように選択的に作動されるシステムである。ロストモーションシステムを有していないバルブトレインでは、バルブスプリングを圧縮するために加えられるエネルギーの一部は、当該スプリングがカムの閉じ用ランプに対して拡張するときに、当該カムに、そして最終的にはエンジンの回転へと戻されている。ロストモーションシステムでは、しかしながら、当該バルブは、バルブをカムから作用的に切り離すことにより、カムによって求められるのよりも早く閉じられ得る。この場合には、開いたバルブの圧縮されたバルブスプリングに蓄えられたエネルギーはカムには戻されず、代わりに、それは閉じるときバルブにのみ施される。エネルギーのいずれもがカムに戻されていないので、第１の位置のバルブスプリングを圧縮するために費やされた当該エネルギーは、本質的に無駄になる。
【０００７】
したがって、改良されたバルブスプリング及び関連方法に対する必要性が存する。
【０００８】
明確化の目的のために、本出願で使用される用語「従来のエンジン」とは、周知のオットーサイクルの４つのすべてのストローク（吸気、圧縮、膨張、排気ストローク）がエンジンの各ピストン/シリンダーの組み合わせ内に含まれている内燃機関を指す。それぞれのストロークは、クランクシャフトの約半体の回転（１８０度のクランク角（ＣＡ））を必要とし、クランクシャフトの２つの完全な回転（７２０度ＣＡ）は、従来のエンジンの各シリンダーにおいて全体のオットーサイクルを完了するために必要とされる。
【０００９】
また、明確化のために、従来技術に開示されたエンジンに適用され、本出願において言及されるように、用語「分割サイクルエンジン」についての以下の定義が提供されている。
【００１０】
分割サイクルエンジンは、一般的に、クランクシャフト軸線の回りに回転可能なクランクシャフト、圧縮シリンダー内に摺動可能に収容された圧縮ピストンであって、クランクシャフトの単一の回転の間に吸気ストローク及び圧縮ストロークを通して往復動するようにクランクシャフトに作動可能に連結された圧縮ピストン、膨張シリンダー内に摺動可能に収容された膨張(動力)ピストンであって、クランクシャフトの単一の回転の間に膨張ストローク及び排気ストロークを通して往復動するようにクランクシャフトに作動可能に連結された膨張ピストン、及び圧縮シリンダー及び膨張シリンダーを相互に連結するクロスオーバー通路であって、その中に配置された少なくともクロスオーバー膨張（ＸovrＥ）バルブ、より好ましくは、間に圧力チャンバーを画定するクロスオーバー圧縮（ＸovrＣ）バルブ及びクロスオーバー膨張（ＸovrＥ）バルブを含むクロスオーバー通路、を備えている。
【００１１】
分割サイクル空気ハイブリッドエンジンは、空気タンクとさまざまな制御装置と分割サイクルエンジンを組み合わせたものである。この組み合わせは、エンジンが圧縮空気の形態でエネルギーを空気貯留器内に蓄えるのを可能にする。空気貯留器内の圧縮された空気は、後でクランクシャフトに動力を付与すべく膨張シリンダー内で使用される。一般的に、本明細書で称される分割サイクル空気ハイブリッドエンジンは、クランクシャフト軸線を中心に回転可能なクランクシャフト、圧縮シリンダー内に摺動可能に収容された圧縮ピストンであって、クランクシャフトの単一の回転の間に吸気ストローク及び圧縮ストロークを通して往復動するようにクランクシャフトに作動可能に連結された圧縮ピストン、膨張シリンダー内に摺動可能に収容された膨張(動力)ピストンであって、クランクシャフトの単一の回転の間に膨張ストローク及び排気ストロークを通して往復動するようにクランクシャフトに作動可能に連結された膨張ピストン、圧縮シリンダー及び膨張シリンダーを相互に連結するクロスオーバー通路（ポート）であって、その中に配置された少なくともクロスオーバー膨張（ＸovrＥ）バルブ、より好ましくは、間に圧力チャンバーを画定するクロスオーバー圧縮（ＸovrＣ）バルブ及びクロスオーバー膨張（ＸovrＥ）バルブを含むクロスオーバー通路、及びクロスオーバー通路に作動可能に連結された空気貯留器であって、圧縮シリンダーからの圧縮空気を格納し、且つ膨張シリンダーに圧縮空気を配送するために選択的に作動可能な空気貯留器を備えている。
【００１２】
図１は、先行技術の分割サイクル空気ハイブリッドエンジンの例示的な一実施形態を示している。分割サイクルエンジン１００は、従来のエンジンの二つの隣接するシリンダーを１つの圧縮シリンダー１０２及び１つの膨張シリンダー１０４の組み合わせで、置き換えている。圧縮シリンダー１０２と膨張シリンダー１０４は、クランクシャフト１０６が回転可能に装着されているエンジンブロックに形成されている。シリンダー１０２、１０４の上端部はシリンダーヘッド１３０で閉じられている。クランクシャフト１０６は、軸方向に変位され角度的にオフセットされた第１のクランクスロー１２６及び第２のクランクスロー１２８を含み、両者間に位相角を有している。第１のクランクスロー１２６は、第１の連結ロッド１３８によって圧縮ピストン１１０に旋回可能に連結され、そして第２のクランクスロー１２８は、第２の連結ロッド１４０によって膨張ピストン１２０に旋回可能に連結されており、ピストン１１０及び１２０は、それらのそれぞれのシリンダー内で、クランクスローのオフセット角度とシリンダー、クランク、及びピストンの幾何学的関係とによって決定されるタイミングの関係で、往復動される。必要に応じて、ピストンの動きとタイミングを関連付けるための代替の機構を利用することができる。クランクシャフトの回転方向及び下死点（ＢＤＣ）位置に近いピストンの相対的運動は、対応する構成部品と共に添付の図面に矢印で示されている。
【００１３】
オットーサイクルの４つのストロークは、このように、圧縮シリンダー１０２が吸気及び圧縮ストロークを包含し、膨張シリンダー１０４が膨張及び排気ストロークを包含するように、２つのシリンダー１０２及び１０４で「分割」されている。オットーサイクルは、したがって、クランクシャフト１０６の一回転（３６０°ＣＡ）毎に一回、これらの２つのシリンダー１０２，１０４で完了される。
【００１４】
吸気ストロークの間に、吸入空気は内方に開く（シリンダー内とピストンに向かって内側に開く）ポペット吸気バルブ１０８を介して圧縮シリンダー１０２に引き込まれる。圧縮ストロークの間、圧縮ピストン１１０は、空気充填物を加圧して、膨張シリンダー１０４のための吸気通路として機能するクロスオーバー通路１１２を通して空気充填物を押し出す。エンジン１００は、１つ以上のクロスオーバー通路１１２を有することができる。
【００１５】
分割サイクルエンジン１００（及び一般的に分割サイクルエンジン用）の圧縮シリンダー１０２の容積測定の（又は幾何学的な）圧縮比は、本明細書において、分割サイクルエンジンの「圧縮比」と呼ばれる。エンジン１００（及び一般的に分割サイクルエンジン用）の膨張シリンダー１０４の容積測定の（又は幾何学的な）圧縮比は、本明細書において、分割サイクルエンジンの「膨張比」と呼ばれる。シリンダーの容積測定の圧縮比は、そこを往復するピストンがその中で下死点（ＢＤＣ）位置にあるときに、シリンダー内に囲まれた（又は捕捉された）容積（すべての凹部と開いたポートを含む）の、前記ピストンが上死点（ＴＤＣ）位置にあるときにシリンダー内に囲まれた容積（すなわち、隙間容積）に対する比として、当技術分野では知られている。明細書に具体的に定義されるような分割サイクルエンジンでは、圧縮シリンダーの圧縮比は、ＸovrＣバルブが閉じているときに決定される。本明細書に具体的に定義されるような分割サイクルエンジンのためには、膨張シリンダーの膨張比はＸovrＥバルブが閉じているときに決定される。
【００１６】
圧縮シリンダー１０２内の非常に高い容積測定の圧縮比（例えば、２０対１，３０対１，４０対１又はそれ以上）の故に、圧縮シリンダー１０２からクロスオーバー通路１１２内への流れを制御するために、クロスオーバー通路入口において、外側に開く（シリンダーとピストンから外側に離れて開く）ポペットクロスオーバー圧縮（ＸovrＣ）バルブが用いられている。膨張シリンダー１０４内での非常に高い容積測定の圧縮比（例えば、２０対１，３０対１，４０対１又はそれ以上）の故に、クロスオーバー通路１１２の出口において、外側に開くポペットクロスオーバー膨張（ＸovrＥ）バルブ１１６がクロスオーバー通路１１２から膨張シリンダー１０４への流れを制御している。ＸovrＣバルブ１１４とＸovrＥバルブ１１６との作動速度及び位相付けは、オットーサイクルの全ての４つのストロークの間、クロスオーバー通路１１２内の圧力を高い最小圧力（通常は全負荷で２０バール以上）に維持するべくタイミング付けられている。
【００１７】
少なくとも一つの燃料噴射器１１８が、ＸovrＥバルブ１１６の開きと連携して、クロスオーバー通路１１２の出口端において加圧された空気に燃料を噴射する。あるいは、又はさらに加えて、燃料が膨張シリンダー１０４内に直接に噴射されてもよい。燃料空気充填物は、膨張ピストン１２０がその上死点（ＴＤＣ）位置に到達した直後に、膨張シリンダー１０４に完全に入る。ピストン１２０が上死点位置からの降下を開始し、そしてＸovrＥバルブ１１６が開いている間に、一つ以上の点火プラグ１２２が、燃焼を開始（膨張ピストン１２０のＴＤＣ後、典型的には１０〜２０度ＣＡ）するために点火される。燃焼は、膨張ピストンが上死点（ＴＤＣ）位置を過ぎて１〜３０°ＣＡにある間に開始されてもよい。より好ましくは、燃焼は、膨張ピストンがＴＤＣ位置を過ぎて５〜２５度ＣＡにあるの間に開始されることができる。最も好ましくは、燃焼は、膨張ピストンがＴＤＣ位置を通過し、１０〜２０°ＣＡにある間に開始される。また、燃焼は、グロープラグ、マイクロ波点火装置、又は圧縮着火方法によってのような他の点火装置及び/又は方法によって開始されることができる。
【００１８】
ＸovrＥバルブ１１６は、結果としての燃焼事象がクロスオーバー通路１１２に入る前に閉じられる。当該燃焼事象は、動力ストロークにおいて膨張ピストン１２０を下方に駆動する。排気ガスは、排気ストローク中に内方に開くポペット排気バルブ１２４を介して膨張シリンダー１０４から排出される。
【００１９】
分割サイクルエンジンの概念によると、圧縮及び膨張シリンダーの幾何学的エンジンパラメータ（すなわち、ボア、ストローク、コンロッドの長さ、圧縮比など）は、一般に、互いから独立している。例えば、圧縮シリンダー１０２と膨張シリンダー１０４のためのクランクスロー１２６，１２８は、それぞれ、異なる半径を有し、圧縮ピストン１１０のＴＤＣの前に発生する、膨張ピストン１２０のＴＤＣとは互いに離隔して位相付けられている。この独立性は、分割サイクルエンジンが、潜在的に標準的な４ストロークエンジンよりもより高い効率レベル及びより大きなトルクを得ることを可能にしている。
【００２０】
分割サイクルエンジン１００でのエンジンパラメータの幾何学的な独立性は、前に説明したように、圧力をクロスオーバー通路１１２内に維持することができる主な理由の一つである。具体的には、膨張ピストン１２０は、離散位相角（典型的には１０〜３０度のクランク角の間）だけ、圧縮ピストン１１０がその上死点位置に到達する前に、その上死点位置に到達するのである。この位相角は、ＸovrＣバルブ１１４及びＸovrＥバルブ１１６の適切なタイミングと共に、分割サイクルエンジン１００が、その圧力/容積サイクルのすべての４ストローク中に、クロスオーバー通路１１２内の圧力を高い最小圧力（典型的には、全負荷運転中に、２０バール絶対圧以上）に維持することを可能にしている。すなわち、当該分割サイクルエンジン１００は、その膨張ピストン１２０がそのＴＤＣ位置からそのＢＤＣ位置に向かって下降し、そして圧縮ピストン１１０が同時にそのそのＢＤＣ位置からそのＴＤＣ位置に向かって上昇している間、ＸovrＣバルブ１１４とＸovrＥバルブ１１６が共にかなりの期間（又はクランクシャフトの回転の期間）開くように、ＸovrＣバルブ１１４とＸovrＥバルブ１１６をタイミング付けるべく作動させることができる。クロスオーバーバルブ１１４，１１６の両方が開いている期間（又はクランクシャフトの回転）の期間中に、ガスの実質的に等しい質量（マス）が（１）圧縮シリンダー１０２からクロスオーバー通路１１２に、及び（２）クロスオーバー通路１１２から膨張シリンダー１０４に移送される。従って、この期間に、クロスオーバー通路内の圧力が所定の最小圧力（典型的には、全負荷運転時に、２０，３０、又は４０バール絶対圧）より下に低下するのが防止される。また、吸気及び排気のストロークの大部分の間（通常は、全吸気及び排気ストロークの９０％以上）に、ＸovrＣバルブ１１４及びＸovrＥバルブ１１６は共に、クロスオーバー通路１１２内に閉じ込められたガスの質量（マス）を実質的に一定のレベルに維持するために閉じられている。結果として、クロスオーバー通路１１２内の圧力は、エンジンの圧力/容量サイクルの全４ストロークの間に所定の最小圧力に維持される。
【００２１】
本明細書での目的のために、ガスの実質的に等しい質量(マス)をクロスオーバー通路１１２に、及びそれから同時に移送すべく、膨張ピストン１２０がＴＤＣから下降し、圧縮ピストン１１０がＴＤＣに向かって上昇しながらＸovrＣバルブ１１４及びＸovrＥバルブ１１６を開く方法は、ガスの移送の「プッシュプル」方式と称される。エンジン１００のクロスオーバー通路１１２内の圧力が、エンジンが全負荷で作動しているときのエンジンのサイクルの全４ストロークの間に、典型的には２０バール以上に維持されるのを可能にしているのが、このプッシュプル法である。
【００２２】
クロスオーバーバルブ１１４、１１６は、１つ以上のカム（不図示）を含むバルブトレインによって作動される。一般的に、カム駆動式機構は、機械的にクランクシャフトに連結されたカムシャフトを含む。一つ以上のカムが、カムシャフトに取り付けられ、それぞれは、バルブ事象（すなわち、バルブ作動時に発生する事象）のバルブリフト輪郭を制御する外形付けられた表面を有している。ＸovrＣバルブ１１４及びＸovrＥバルブ１１６は、それぞれ、独自のそれぞれのカム及び/又は独自のそれぞれのカムシャフトを持つことができる。ＸovrＣ及びＸovrＥのカムが回転すると、その偏心部分は、ロッカーアームに運動を与え、それは順にバルブに運動を付与し、それにより、バルブをそのバルブシートからリフト（開成）する。カムが回転し続けると、偏心部分はロッカーアームを通過し、バルブが閉じることができる。
【００２３】
本明細書での目的のため、バルブ事象（又はバルブ開事象）は、バルブリフトが発生している間のクランクシャフトの回転に対して、バルブシートから離れるその第１の開きからそのバルブシートに戻って閉じるバルブリフトとして定義される。また、本明細書での目的のため、バルブ事象速度（すなわち、バルブ作動速度）は、バルブ事象が所定のエンジンサイクル内で発生するのに必要とされる継続期間である。バルブ事象は、一般に、エンジンの作動サイクルの全継期時間（例えば、従来エンジンのサイクルについては７２０度ＣＡ、分割サイクルエンジンのサイクルについては３６０°ＣＡ）のほんの一部であることに注意することが重要である。
【００２４】
分割サイクル空気ハイブリッドエンジン１００もまた、空気貯留器（タンク）２４２を含み、それは空気貯留器タンクバルブ１５２によってクロスオーバー通路１１２に接続されている。２つ以上のクロスオーバー通路１１２を有する実施形態は、それぞれのクロスオーバー通路１１２のためのタンクバルブ１５２を含むことができ、それは共通の空気貯留器１４２に接続するか、或いは代替的に各クロスオーバー通路１１２が別々の空気貯留器１４２に作動的に接続してもよい。
【００２５】
タンクバルブ１５２は、典型的には、クロスオーバー通路１１２から空気タンク１４２に延びている空気タンクポート１５４に配置されている。空気タンクポート１５４は、第１の空気タンクポート部１５６及び第２の空気タンクポート部１５８に分割されている。第１の空気タンクポート部１５６は、クロスオーバー通路１１２に空気タンクバルブ１５２を接続し、第２の空気タンクポート部１５８は、空気タンクバルブ１５２を空気タンク１４２に接続する。第１空気タンクポート部１５６の容積は、当該タンクバルブ１５２が閉じているときに、クロスオーバー通路１１２にタンクバルブ１５２を接続しているすべての付加的な凹部の容積を含んでいる。好ましくは、第１の空気タンクポート部１５６の容積は、クロスオーバー通路１１２の容積に比べて小さい（例えば、２５％未満）である。より好ましくは、第１の空気タンクポート部１５６は、実質的に非存在であり、すなわち、タンクバルブ１５２は最も好ましく、それがクロスオーバー通路１１２の外壁と面一になるように配置されている。
【００２６】
タンクバルブ１５２は、任意の適切なバルブ装置又はシステムとすることができる。例えば、タンクバルブ１５２は、圧力作動チェックバルブ、又は種々のバルブ作動装置（例えば、空気圧、油圧、カム、電気等）によって活性化されるアクティブバルブであってもよい。また、タンクバルブ１５２は、二つ以上のバルブが二つ以上の作動装置でもって作動されるタンクバルブシステムを備えることができる。
【００２７】
空気タンク１４２は、圧縮空気の形でエネルギーを格納し、後でクランクシャフト２０６に動力を与えるべく、その圧縮空気を使用するために利用される。このポテンシャルエネルギーを格納する機械的手段は、現在の技術水準以上の多数の潜在的な利点を提供する。例えば、分割サイクル空気ハイブリッドエンジン１００は、潜在的に、例えばディーゼルエンジンや電気ハイブリッドシステムとして市販されている他の技術に関連して、比較的低い製造及び廃棄物処理コストで燃費向上やNOｘ排出量削減に多くの利点を提供することができる。
【００２８】
エンジン１００は、典型的には、通常の作動モード（エンジンの点火燃焼（ＥＦ）モード、又は時に正常の点火燃焼（NＦ）モードと呼ばれる）及び１つ以上の空気ハイブリッドモードで走行する。当該ＥＦモードでは、エンジン１００は、本明細書で前に詳細に（すなわち、図１に関して、）説明したように正常に機能し、空気タンク１４２を使用せずに作動する。このＥＦモードでは、空気タンクバルブ１５２は、基本的な分割サイクルエンジンから空気タンク１４２を隔離するために閉じたままである。４つの空気ハイブリッドモードでは、エンジン１００は、空気タンク１４２を用いて作動する。
【００２９】
４つの基本的な空気ハイブリッドモードは以下を含んでいる。
１）燃焼を伴わずに、空気タンク２４２からの圧縮空気エネルギーを使用することを含んでいる、空気膨張機（ＡＥ）モード、
２）燃焼を伴わずに、圧縮空気エネルギーを空気タンク２４２に格納することを含んでいる、空気圧縮機（ＡＣ）モード、
３）燃焼を伴って、空気タンク２４２からの圧縮空気エネルギーを使用することを含んでいる、空気膨張機及び点火燃焼（ＡＥＦ）モード、及び
４）燃焼を伴って、圧縮空気のエネルギーを空気タンク２４２に保存することを含んでいる、点火燃焼及び充填（ＦＣ）モード。
【００３０】
分割サイクルエンジンの更なる詳細は、２００３年４月８日に発行され分割４ストロークサイクル内燃機関と題された特許文献１（米国特許第６５４３２２５号）、及び２００５年１０月１１日に発行され分割サイクル４ストロークエンジンと題された特許文献２（米国特許第６９５２９２３号）に見出され、その各々は、その全体が参照により本明細書に組み込まれている。
【００３１】
空気ハイブリッドエンジンに関するさらなる詳細は、２００８年４月８日に発行され分割サイクル空気ハイブリッドエンジンと題された特許文献３（米国特許第７３５３７８６号）、２０１０年７月１８日に出願され分割サイクル空気ハイブリッドエンジンと題された特許文献４（米国特許出願第６１/３６５、３４３号）、及び２０１０年３月１５日に出願され分割サイクル空気ハイブリッドエンジンと題された特許文献５（米国特許出願第６１/３１３、８３１号）に開示され、それぞれは、参照によりその全体が本明細書に組み込まれている。
【課題を解決するための手段】
【００３２】
概して、エンジンバルブの動きを制御する可変力バルブスプリングを含む装置及び関連する方法が開示されている。バルブスプリングによって加えられる力は、流体チャンバーの容積を変化させるか、及び/又は流体圧がエンジンバルブに結合される凝集表面積を変化させることにより、流体が流体チャンバーに供給される圧力を変えることによって調整され得る。関連する流体制御システムもまた、エンジン速度、エンジン負荷、及び/又はそれらの組み合わせのような種々のエンジンパラメータに基づいて、バルブスプリングの力を調整するための様々な方法であるとして、本明細書に開示されている。
【００３３】
本発明の少なくとも一つの実施形態の一態様では、エンジンバルブに結合された空気圧バルブスプリング、及びエンジン速度とエンジン負荷の少なくとも一方に基づいて、当該空気圧バルブスプリングのスプリング力を調整するように構成された制御モジュール、を含むエンジンが提供されている。
【００３４】
本発明の少なくとも１つの実施形態の別の態様では、バルブスプリングシステムであって、その中に配置された往復するピストンを有する容器、当該ピストンに結合されたエンジンバルブ、第１の圧力を有する第１の加圧空気源、及び第１圧力よりも大きい第２の圧力を有する第２の加圧空気源を含むバルブスプリングシステムが提供されている。当該システムはまた、当該容器と当該第１の加圧空気源との間の第１の流体連通、及び当該容器と当該第２の加圧空気源との間の第２の流体連通を制御することにより、当該ピストンに作用する力を調整するように構成された制御バルブを含んでいる。
【００３５】
本発明の少なくとも一つの実施形態の別の態様では、で第１のボアを画定するキャップ、エンジンバルブに結合されたピストンであって、当該ピストン及びキャップが第１の流体チャンバーを画定するように、当該第１のボア内に摺動可能に配置されたピストンを含むバルブスプリングシステムが提供されている。当該システムはまた、第２のボアを画定する外側ハウジングであって、当該キャップ及び当該外側ハウジングが第２の流体チャンバーを画定するように、当該キャップが当該第２のボア内に摺動可能に配置されている外側ハウジング、及び当該第２の流体チャンバーから加圧流体を選択的に解放するように構成された流体ポートであって、それにより、当該第１の流体チャンバーの容積が増大されるように、当該キャップが当該外側ハウジングに対して摺動するのを許容する流体ポートを含んでいる。
【００３６】
本発明の少なくとも一つの実施形態の別の態様では、第１のピストンが往復可能に配置され、第１のボアを画定する第１のハウジングであって、当該第１のピストンがエンジンバルブのバルブステムに連結されている第１のハウジングを含むバルブスプリングシステムが提供されている。当該システムはまた、第２のピストンが往復可能に配置され、第２のボアを画定する第２のハウジングであって、当該第２のピストンが延長ステムに連結されている第２のハウジングを含む。当該システムはまた、油圧プレナムを画定する第３のハウジングであって、当該油圧プレナムが当該バルブステムの近位端部、当該延長ステムの遠位端部、及び制御バルブと流体連通している第３のハウジングを含んでいる。当該プレナムは、当該バルブステムが延長ステムから独立して移動可能であるように、当該制御バルブが開かれたときにアキュムレータと流体連通し、そして、当該プレナムは、当該バルブステムの動きが当該延長ステムの移動を必要とするように、前記制御バルブが閉じられたときに、シールされる。
【００３７】
本発明の少なくとも一つの実施形態の別の態様では、エンジンパラメータの増大に基づいて当該バルブに関連付けられたバルブスプリングのスプリング力を増加させ、そして前記エンジンパラメータの低下に基づいて当該バルブスプリングのスプリング力を低下させることを含む備えることを特徴とするエンジンのバルブを作動させる方法が提供されている。
【００３８】
本発明はさらに、特許請求された装置、システム、及び方法をさらに提供する。
【図面の簡単な説明】
【００３９】
本発明は、添付の図面と併せてなされる以下の詳細な説明からより完全に理解されるであろう。
【図１】図１は、先行技術の空気ハイブリッド分割サイクルエンジンの概略断面図である。
【図２Ａ】図２Ａは、本発明に係るバルブトレインの一実施形態の概略図であり、バルブは閉じられている。
【図２Ｂ】図２Ｂは、図２Ａのバルブトレインの概略図であり、バルブが開かれている。
【図３Ａ】図３Ａは、スプールバルブが第１の位置で示される、本発明に係る流体制御システムの一実施形態の概略図である。
【図３Ｂ】図３Ｂは、スプールバルブが第２の位置で示される、本発明に係る流体制御システムの一実施形態の概略図である。
【図３Ｃ】図３Ｃは、スプールバルブが第３の位置で示される、図３Ａ及び図３Ｂの流体制御システムの一実施形態の概略図である。
【図４】図４は、本発明に係る流体制御システムの別の実施形態の概略図である。
【図５Ａ】図５Ａは、内方に開くバルブが閉じられている、本発明に係るバルブトレインの一実施形態の概略図である。
【図５Ｂ】図５Ｂは、内方に開くバルブが開かれている、図５Ａのバルブトレインの概略図である。
【図６Ａ】図６Ａは、縮小された充填用容積の形態で示された、本発明に係るバルブスプリングの別の実施形態の概略図である。
【図６Ｂ】図６Ｂは、増大された充填用容積の形態で示された、図６Ａのバルブスプリングの概略図である。
【図７】図７は、本発明に係るバルブスプリングの別の実施形態の概略図である。
【図８Ａ】図８Ａは、本発明に係るエンジンの一実施形態について、エンジン速度の関数としての必要なスプリング圧のプロットである。
【図８Ｂ】図８Ｂは、本発明に係るエンジンの一実施形態について、エンジン速度の関数としての必要なアイドルスプリング圧に正規化された必要なスプリング圧のプロットである。
【図９Ａ】図９Ａは、本発明の様々な実施形態について、エンジン速度の関数としてのスプリング力の一連のプロットである。
【図９Ｂ】図９Ｂは、本発明の様々な実施形態について、エンジン負荷の関数としてのスプリング力の一連のプロットである。
【発明を実施するための形態】
【００４０】
今、本明細書に開示される装置及び方法の構造の原理、機能、製造、及び使用の全体的な理解を提供するために、特定の例示的な実施形態が説明されるであろう。これらの実施形態の１つ以上の例が添付の図面に示されている。当業者であれば、本明細書に記載及び添付の図面に図示された装置及び方法は非限定的な例示的な実施形態であり、本発明の範囲は特許請求の範囲によってのみ定義されることを理解するであろう。例示又は例示的な一実施形態に関連して説明した特徴は、他の実施形態の特徴と組み合わせることができる。そのような修正及び変更は、本発明の範囲内に含まれることが意図されている。
【００４１】
ある種の方法及び装置が、分割サイクルエンジン及び/又は空気ハイブリッドエンジンの文脈で本明細書に開示されているが、当業者は、本明細書に開示された方法及び装置は、限定されないが、非ハイブリッドエンジン、２ストローク及び４ストロークエンジン、従来のエンジン、ディーゼルエンジン等を含む全ての様々な背景で用いられることができることを理解するであろう。
【００４２】
エンジンを最大効率で作動させるためには、当該バルブスプリング又は各種のエンジンバルブに作用するスプリングによって加えられる力を変化させることが望ましい。例えば、効率の向上は、エンジン速度に基づいてスプリング力を変えることによって実現することができる。分割サイクルエンジン（例えば、上で詳述されたエンジン１００など）では、クロスオーバーバルブ（すなわち、１１４、１１６）の動的な作動が非常に求められている。これは、クロスオーバーバルブは、通常バルブを約１８０°ＣＡの期間作動させる従来のエンジンに比べて、クランクシャフト回転の非常に短い期間内（典型的には、約３０〜４５度ＣＡの範囲内）に燃料ー空気充填物を完全に移送するために、十分なリフトを達成しなければならないからである。その結果、当該クロスオーバーバルブは、従来のエンジンのバルブよりも４〜６倍程度速く作動させるのが必要とされる。このように、バルブトレイン及びこれらのバルブに関連付けられたバルブスプリングは、比較的速い作動速度が可能でなければならない。エンジン速度が増大するにつれて、バルブの速度は同様に増大し、より高いバルブ加速度と高いバルブ慣性力を生成させる。その結果、バルブ慣性力を克服するために必要なバルブスプリングの力は、エンジン速度と共に増加する。効率は、従って、エンジンが低速で作動しているときは低いスプリング力を用い、エンジンが高速で作動しているときには高いスプリング力を使用することによって、改善することができる。エンジン速度の変化は比較的遅いので、バルブスプリング力は、エンジン速度の変化を補償するために徐々に調整することができる。
【００４３】
効率の向上は、エンジン負荷に基づいてバルブスプリング力を調整することで実現できる。上で詳述した分割サイクルエンジン１００において、クロスオーバーバルブ１１４,１１６は外方に開き、従って、それに関連付けられたバルブスプリングは、エンジンの圧縮及び膨張行程の少なくともピーク圧力部分の間に、当該クロスオーバーバルブを閉じた状態に保持するのに十分な力を加えなければならない。膨張シリンダーにおけるピーク燃焼圧力はエンジン負荷と共に増加するので、XovrEバルブスプリングの力の要求も同様に増加する。従って、効率は、エンジンが比較的低負荷で作動しているときには、低スプリング力を用いて、エンジンが比較的高負荷で作動しているときに高いスプリング力を使用することによって改善することができる。エンジン負荷の変化は、ほぼ瞬時に発生することがある。例えば、スロットルが急にフルスロットル位置に開かれ、又は突然に閉鎖される。従って、負荷に基づいてスプリング力を成功裏に変化させるためには、バルブスプリング力は、同様に、ほぼ瞬時に調節可能でなければならない。調節可能なバルブスプリングの種々が本明細書に開示され、徐々に調整可能であるもの、実質的に瞬時に調整可能であるもの、及び徐々に且つ実質的に瞬時に調整可能であるもののいくらかを含んでいる。
【００４４】
図２Ａ−２Ｂは、可変力バルブスプリング２０８を含むバルブトレイン２００の例示的な一実施形態を示している。バルブトレイン２００の作動は、外方に開くポペットバルブに関して記載されているが、それは内方に開くポペットバルブを含んでほぼ全てのエンジンバルブとの使用にも容易に適合させることができることが理解されるであろう。
【００４５】
図２Ａに示されるように、バルブトレイン２００は、一般に、カム２０２、ロッカー２０４、バルブ２０６、及び可変力バルブスプリング２０８を含んでいる。バルブトレイン２００はまた、簡潔さの目的のために図示されていない、１つ以上の関連する支持エレメントを含んでいる。
【００４６】
バルブ２０６はバルブヘッド２１０及びバルブヘッド２１０から垂直に延びるバルブステム２１２を備えている。バルブアダプタアセンブリ２１４は、ヘッド２１０とは反対のステム２１２の先端に配置され、しっかり固定されている。当該バルブアダプタアセンブリ２１４は、アダプタ部分２１５及びそこに配置されたコレット２１７を含んでいる。
【００４７】
ロッカー２０４は、一端に、フォーク状のロッカーパッド２２０を含み、それはバルブステム２１２を跨ぎ、バルブアダプタアセンブリ２１４の下側に係合している。加えて、ロッカー２０４は反対側の端部に、中実のロッカーパッド２２２を含み、それはカム２０２に摺接している。当該ロッカー２０４は、それを通って延在するロッカーシャフト２２４の周りに旋回する。ロッカー２０４のフォーク状のロッカーパッド２２０は、カム２０２の作動によって生じるロッカーパッド２２２の下方向の移動がロッカーパッド２２０の上方への移動に変換し、それが順にバルブ２０６を開くように、外方に開くポペットバルブ２０６のバルブアダプターアセンブリ２１４に接触している。
【００４８】
カム２０２は、少なくとも５度ＣＡのドウェル区分（すなわち、一定の半径を有するカムの偏心部分の区分）を含むカムであるとして本明細書中で使用される「ドウェルカム」である。本明細書での目的のために、当該ドウェル区分は、図示された実施形態においては、ドウェル区分がカムのベース円部と同心であったとしても、カムの偏心部分の一部であると称される。図示の実施形態において、当該ドウェルカム２０２は、（矢印Ａlの方向に）時計回りに回転する。カム２０２の偏心部分２２６がロッカー２０４に接触すると、ロッカー２０４はロッカーシャフト２２４の回りに回転し、バルブ２０６をそのシート２１６からリフトする。
【００４９】
当業者には理解されるように、バルブトレイン２００は、カムからロッカーを、バルブからロッカーなどを選択的に作動的に切断及び接続するためのロストモーションシステムを選択肢として含めることができる。例えば、当該ロッカー２０４は、ロッカー２０４のピボット高さを動的に変更するために、油圧液体が選択的に排出及び充填され得る折畳み式油圧タペットに取り付けられることができる。ロストモーションシステムの他の例は、米国特許出願明細書に本願と同日に出願され、カムフェイザーを備えロストモーション可変バルブシステムと題された米国特許出願第１３/３５９、５２１号に詳細に説明されており、その全体が参考によって援用される。
【００５０】
バルブスプリング２０８は、バルブ２０６をその閉じた位置に向かって付勢し、バルブ２０６が完全に閉じられたとき、バルブシート２１６に対してしっかりとバルブヘッド２１０を保持する。バルブスプリング２０８はまた、バルブの閉制御が要求されたときには、ロストモーションバルブトレインエレメントを折り畳むのに十分な閉じ力を提供する。図示のように、バルブスプリング２０８は、内部に円筒形容器２３０を画定する外側ハウジング２２８を含んでいる。エンジンバルブ２０６に結合されているピストン２３２は、往復可能に容器２３０内に配置されている。ピストン２３２は、直接にエンジンバルブ２０６（すなわち、バルブステム２１２）に結合されるか、又は、例えば、バルブアダプタアセンブリ２１４を含む１つ以上の中間エレメントを介して、エンジンバルブ２０６に結合されている。一実施形態では、ピストンは、約１３ｍｍの直径を有している。ピストン２３２は、ピストン２３２とハウジング２２８との間の流体密封止係合を容易にするために、ピストンの側壁に形成された又は取り付けられた一つ以上の封止用特徴を備えている。なお、本明細書で使用される用語「流体」は、空気、窒素等のような圧縮性ガスを含むことが理解されるであろう。このようにして、ピストン２３２及びハウジング２２８は共に、可変容積流体チャンバー２３４を画定している。当該ハウジング２２８は、チャンバー２３４へ流体を供給するか、又はそれから流体を除去するための流体ポート２３６を含んでいる。図２Ａにおいて、当該バルブ２０６は閉鎖位置で示されている。当該バルブがそのように位置されているときには、当該ピストン２３２は容器２３０内でそのストロークの実質的に底部にあり、そしてチャンバー２３４は最大容積を有している。
【００５１】
図２Ｂに示されるように、カムが取り付けられているカムシャフトがエンジンのクランクシャフトの回転によって駆動されるにつれ、カム２０２が時計回りに回転するとき、カム２０２の偏心部分２２６が、ロッカー２０４に下向きの動きを付与する。これはロッカー２０４の反時計回りの回転に帰し、それは順にシート２１６からバルブ２０６をリフトすることに有効であり、それによってバルブを開く。バルブ２０６がリフトされると、それに結合されているピストン２３２はバルブスプリング２０８の容器２３０内で上方に摺動し、チャンバー２３４の容積を減少させる。チャンバー２３４内に配置されていた流体は、圧縮されるか又は流体ポート２３６を通じてチャンバー２３４から強排される。図２Ｂに示されるように、バルブ２０６が完全に開放されるとき、当該ピストン２３２は、容器２３０内でそのストロークの実質的に最上部にあり、チャンバー２３４は最小の容積を有している。
【００５２】
図３Ａ〜３Ｂは、バルブスプリング２０８のスプリング力を制御する流体制御アセンブリ３００の一実施形態を示す。流体制御アセンブリは、概して、制御バルブ３３８、高圧力源３４０、及び低圧力源３４５に供給する圧力調整器３４４を備えている。当該技術分野で公知の様々なバルブもまた、本発明の範囲から逸脱することなく用いることができるが、図示の実施形態では、制御バルブ３３８は、高速でソレノイド作動式のスプールバルブの形態である。高圧力源３４０は、第１の流体ライン３４１を介して、制御バルブ３３８の第１の入力部３４６に結合されている。高圧力源３４０には、当該バルブスプリング２０８が設置されているエンジンに作動可能に結合されている空気圧縮機によって供給される。高圧力源３４０にはまた、バルブスプリング２０８が設置されているエンジンのクロスオーバー通路又は空気ハイブリッドの貯留器から供給されてもよい。２０１０年５月７日に出願され、「分割サイクルエンジンの構成部品のための空気供給」と題された米国特許出願公開第２０１０/０２８２２２５号は、分割サイクルエンジンのクロスオーバー通路から高圧力源を発生させることについての詳細を提供しており、その全体が参照により本明細書に組み込まれている。いくつかの実施形態では、高圧力源は、少なくとも約２０バール、少なくとも約３０バール、及び/又は、少なくとも約４０バールの圧力を有する。
【００５３】
高い圧力源３４０にはまた、圧力調整器３４４を介して供給され、そこでは比較的低い圧力源３４５（例えば、第２の流体ライン、低圧貯留器など）に変換され、そして制御バルブ３３８の第２の入力部３４８に結合されている。当該調整器３４４は、様々な圧力で、低圧力源３４５に供給することができ、必要に応じて電子的に又は他の方法で、調節可能である。いくつかの実施形態では、低圧力源３４５は、約１バール未満、約５バール未満、及び/又は約２０バール未満の圧力を有することができる。例えば、低圧力源は、約１バール〜約２０バールの間、約１バール〜約１０バールの間。約５バール〜約１０バールの間などの圧力を有することができる
【００５４】
制御バルブ３３８もまた、図２Ａ−２Ｂに示される、バルブスプリング２０８の流体ポート２３６に結合される出力部３５２を含んでいる。
【００５５】
使用の際には、スプール３５６に直線状押し運動線形又は直線状引き運動を付与すべく、制御バルブ３３８のソレノイド本体３６６内に配置されたソレノイドに電流が選択的に適用される。当該電流は、制御モジュール（すなわち、エンジン制御コンピュータ）から、又は制御モジュールの要求に応じて選択的に供給される。制御モジュールすなわちエンジン制御コンピュータは、メモリに結合され、限定はしないが、エンジンのバルブタイミング、バルブスプリングレート、空気ハイブリッド作動モードなどを含む、エンジンの作動の様々な側面を制御するための１つ以上のプログラムを実行するマイクロプロセッサを含む。当該スプール３５６は、制御バルブ３３８の本体３５８内で往復運動し、そして、その内部表面と密封係合を形成するような大きさにされている。当該スプール３５６は、周囲のバルブ本体３５８とのシールを形成する、第１及び第２の端部分３６０、３６２を備えている。第１及び第２の端部分３６０、３６２は、第１及び第２の端部分３６０よりも小さな直径を有する連結エレメント３６４によって連結され、その結果、流体３６２が、連結エレメント３６４と制御バルブ本体３５８の内面との間を流れることができる。当該連結エレメント３６４はまた、流体が流れることを容易にする一つ以上の開口を含むことができる。
【００５６】
図３Ａにおいて。スプール３５６は、制御バルブ３３８の第１の入力部３４６が出力部３５２と流体連通している第１の位置で示されている。これにより、高圧力源３４０は、バルブスプリング２０８の流体ポート２３６と流体連通している。第２の入力部３４８はスプール３５６によって遮断されているので、バルブスプリング２０８の流体チャンバー２３４には、高圧力源３４０によってのみ供給される。制御バルブ３３８のこの位置では、バルブスプリング２０８が高圧力源３４０の比較的高い圧力下で、エンジンバルブ２０６を閉位置に向かって付勢するであろうので、バルブスプリングとして２０８は、「高い」スプリング力を有すると言うことができる。この位置では、より多くのエネルギー及び力が、エンジンバルブ２０６を開き、そして、当該エンジンバルブ２０６を開いた状態に維持するために必要とされる。加えて、この位置はバルブ２０６がより速く閉じるのを引き起こす。
【００５７】
さて、図３Ｂを参照するに、ソレノイドは、スプール３５６をソレノイド本体３６６から離れて下方に押すように作動させることができる。スプール３５６が前進されると、第１及び第２の入力部３４６、３４８はスプール３５６によって遮断され、それによって出力部３５２を隔離し、流体チャンバー２３４を封止する。
【００５８】
図３Ｃに示されるように、スプール３５６は、ソレノイド本体３６６から離れてさらに下方に前進されることができる。この位置では、バルブ３３８の第２の入力部３４８は出力部３５２と流体連通するように配置される一方、第１の入力部３４６はスプール３５６によって遮断されている。この位置では、バルブスプリング２０８の流体チャンバー２３４は、圧力調整器３４４から低圧流体でもって充填される。制御バルブ３３８のこの位置では、バルブスプリング２０８が調整圧力源３４５の比較的低い圧力下で、エンジンバルブ２０６を閉位置に向かって付勢するであろうので、バルブスプリング２０８は、「低い」スプリング力を有すると言うことができる。この位置においては、エンジンバルブ２０６を開くため、そしてエンジンバルブ２０６を開いた状態に保持するためには、図３Ａに示された位置において制御バルブ３３８で必要とされるのよりも、かなり少ない力及びより少ないエネルギーが必要とされる。加えて、この位置は、制御バルブ３３８が図３Ａに示された位置にあるときよりも、バルブ２０６がよりゆっくりと閉じるのを生じさせる。
【００５９】
使用時には、制御バルブ３３８は、バルブスプリング２０８のスプリング力を変化させるべく（例えば、エンジンコンピュータ又は制御モジュールの制御下で）選択的に作動される。例えば、バルブスプリング２０８は、図３Ａに示される位置に制御バルブ３３８を単に保持することによって、「高い」スプリング力に設定することができる。同様に、バルブスプリング２０８は、図３Ｃに示される位置に制御バルブ３３８を保持することによって、「低い」スプリング力に設定することができる。代替的に、バルブスプリング２０８のスプリング力は、制御バルブ３３８を操作することによって、「高い」と「低い」の設定との間の様々なレベルのいずれかに調整することができる。例えば、流体チャンバー２３４内の圧力は、流体チャンバー２３４を効果的に隔離しそして密封するために、制御バルブ３３８を図３Ｂに示されるように位置付けることによって、特定のレベルに維持され得る。現在のレベルから僅かに流体チャンバー２３４内の圧力を上昇させるためには、制御バルブ３３８が図３Ａに示される位置まで簡単に移動されればよい。一旦、所望の圧力（いくつかの実施形態において、流体チャンバー２３４内の圧力を測定するように構成された圧力センサによって示され得る）に到達すると、制御バルブは、新たな圧力レベルでバルブスプリング２０８を維持するために、図３Ｂに示される位置に戻され得る。同様に、現行のレベルから流体チャンバー２３４内の圧力を若干下げるためには、制御バルブ３３８が、図３Ｃに示される位置まで簡単に移動され得る。一旦、所望の圧力（例えば、圧力センサの出力によって示される）に達すると、制御バルブ３３８は、新たな圧力レベルでバルブスプリング２０８を維持するために、図３Ｂに示す位置に戻され得る。これにより、図３Ｂに示される位置から、制御バルブ３３８を上下に瞬間的に移動させることにより、バルブスプリング圧力の僅かな増加又は減少を行うことができる。これらの変更は、流体チャンバー２３４内の圧力を測定するべく構成されている圧力センサによって提供されるフィードバックループに少なくとも部分的に基づいて、エンジン制御用コンピュータによって指図され得る。
【００６０】
図４は、バルブスプリング２０８のスプリング力を制御する流体制御アセンブリ４００の別の実施形態を示す。流体制御アセンブリ４００は、一般に、高圧力源４４０、連続的に調節可能な圧力調整器４４４、及び解放バルブ４６８を備えている。圧力調整器４４４は、高圧供給源４４０を所定の範囲内の種々の圧力の任意な圧力を有する圧力調整された出力源４４５に変換するように構成されている。当該調整器４４４は、約１バール〜約１００バール、約１バール〜約８５バール、約１バール〜約２０バール、及び/又は約１０バール〜約２０バールの圧力の流体出力源を生成するように構成されてもよい。当該調整器４４４は、電子的に調節可能、及び/又は油圧式、磁気的、機械的、及び/又は手動で調節可能である。なお、当該調整器４４４は、バルブスプリング２０８の流体チャンバー２３４に供給される圧力が圧力の広い範囲に亘って変化されるのを可能にすることが理解されるであろう。これは、有利には、バルブスプリング２０８のスプリング力の動的制御を可能にする。解放バルブ４６８は、流体チャンバー２３４に貯留された加圧流体を放出するために選択的に作動される。例えば、当該解放バルブ４６８は、電子的に作動され、そして、流体チャンバー２３４から加圧された充填物を放出するべく、エンジン制御コンピュータ又は制御モジュールによって指示されたときに、簡単に開くように構成されてもよい。一実施形態では、当該解放バルブ４６８は、当該調整器４４４の一体的な構成部品であり、当該調整器４４４が出力圧力を低減するように作動されるときに、自動的に貯留された圧力を解放するように構成されている。
【００６１】
使用時において、当該調整器４４４は、バルブスプリング２０８のスプリング力を変化させるために（例えば、エンジンコンピュータまたは制御モジュールの制御下に）選択的に調整される。
【００６２】
図５Ａ−５Ｂは、内方に開くエンジンバルブ（すなわち、シリンダー内にピストンに向かって開くエンジンバルブ）と共に使用するための本発明に係るバルブスプリングの別の実施形態を示す。図示のように、バルブスプリング５０８はバルブ５０６を閉位置に向かって付勢し、そしてバルブ５０６が完全に閉じているとき、バルブヘッド５１０をバルブシート５１６に対してしっかりと保持している。バルブスプリング５０８はまた、バルブの閉制御が要求されたときにロストモーションバルブトレインエレメントを縮めるのに十分な閉じ力を提供する。バルブスプリング５０８は、その中に円筒形容器５３０を画定する外側ハウジング５２８を含んでいる。エンジンバルブ５０６に結合されたピストン５３２は、それが内部で往復動するように、容器５３０内に配置されている。当該ピストン５３２は、直接にエンジンバルブ５０６に（すなわち、バルブステム５１２に）結合されるか、又は１つ以上の中間エレメントを介してそれに結合されてもよい。当該ピストン５３２は、ピストン５３２とハウジング５２８との間の流体密封止係合を容易にするために、その側壁に形成された又はそこに取り付けられた一つ以上のシール用特徴部を備えている。このようにして、ピストン５３２及びハウジング５２８は共に、可変容積流体チャンバー５３４を画定している。ハウジング５２８は、当該チャンバー５３４に流体を供給するか、又は当該チャンバー５３４から流体を除去するための流体ポート５３６を含んでいる。ピストン５３２はまた、カム５０２又は中間のバルブトレインエレメントに係合するために、ピストン５３２から延びている係合部分５３３を含んでいる。図５Ａにおいて、当該バルブ５０６は閉鎖位置で示されている。当該バルブがそのように位置されるときには、当該ピストン５３２は、容器５３０内のストロークの実質的に最上部にあり、当該チャンバー５３４は最大容積を有する。
【００６３】
図５Ｂに示されるように、カムが取り付けられているカムシャフトがエンジンのクランクシャフトの回転によって駆動されるにつれ、カム５０２が時計回りに回転するとき、カム５０２の偏心部分５２６が、ピストン５３２に下向きの動きを付与し、それは順にシート５１６からバルブ５０６をリフトすることに有効である。バルブ５０６がリフトされると、ピストン５３２はバルブスプリング５０８の容器５３０内で下方に摺動し、チャンバー５３４の容積を減少させる。チャンバー５３４内に配置されていた流体は、圧縮されるか又は流体ポート５３６を通じてチャンバー５３４から強排される。図５Ｂに示されるように、バルブ５０６が完全に開かれるとき、当該ピストン５３２は、容器５３０内でそのストロークの実質的に最底部にあり、チャンバー５３４は最小の容積を有している。
【００６４】
なお、本明細書に記載された流体制御システム（例えば、流体制御システム３００、４００）のいずれも、バルブスプリング５０８のスプリング力を動的に制御し、これにより、それが装着されているエンジンの効率を向上させるために、上述のような流体ポート５３６に結合され得ることが理解されるであろう。例えば、流体制御システム３００、４００は、チャンバー５３４内の流体充填物の圧力を選択的に変化させ、それによりバルブスプリング５０８の力を変化させるために使用される。
【００６５】
図６Ａ〜６Ｂは、たとえ充填圧力（バルブがそのバルブシート上でその閉位置にあるときに、バルブスプリングの流体チャンバーが充填されている圧力）が実質的に一定に保たれるにしても、バルブスプリングの流体チャンバーの充填容積が、ピークのバルブリフト時に、バルブスプリングのピークスプリング力を変えるために変更することができる、本発明に係るバルブスプリング６０８の別の実施形態を例示している。バルブスプリング６０８は、エンジンバルブ６０６を閉鎖位置に向かって付勢し、そしてバルブ６０６が完全に閉じられているとき、バルブ６０６をバルブシート６１６に対して確実に保持する。バルブスプリング６０８はまた、バルブの閉じ制御が要求されたときにロストモーションバルブトレインエレメントを縮めるのに十分な閉鎖力を提供する。図示のように、バルブスプリング６０８は、内部に円筒形容器６３０を画定する滑りキャップ６２８を含んでいる。エンジンバルブ６０６に結合されたピストン６３２は、容器６３０内に往復可能に配置されている。加えて、滑りキャップ６２８は、外側ハウジング６２９に形成された円筒状の容器６３１内に往復可能に配置されている。このように、ピストン６３２及び滑りキャップ６２８は一緒に、第１の流体チャンバー６３４を画定している。開口６３６が、第１の流体チャンバ−６３４へ流体を供給し、又はそれから除去するために滑りキャップ６２８に設けられている。いくつかの実施形態では、第１の流体チャンバー６３４に供給されるか、又はそこから除去される流体は、実質的には圧縮性流体（例えば、空気又は窒素）である。当該滑りキャップ６２８と外側ハウジング６２９は共に、第２の流体チャンバー６３５を画定している。外側ハウジング６２９は、当該第２の流体チャンバー６３５に流体を供給するか又はそれから除去するための流体ポート６３７を含んでいる。第２の流体チャンバー６３５に供給される又はそれから除去される流体は、実質的に圧縮性流体（例えば、空気又は窒素）、実質的に非圧縮性流体（例えば、オイル）、又はそれらの何らかの組み合わせであってもよい。
【００６６】
使用時には、第１の流体チャンバー６３４は、開口６３６を介して加圧流体の供給源に結合されたままである。一実施形態では、充填圧力（例えば、供給圧力と第１の流体チャンバー６３４内の圧力とを等しくするには十分な長さでバルブ６０６が閉じられたときの第１の流体チャンバー６３４内の圧力）は約２０バールである。
【００６７】
図６Ａにおいて、バルブスプリング６０８は「高い」力の状態で示されており、そこでは、ピーク圧力の量、したがって、バルブ６０６がそのピークリフト（すなわち、ピークバルブリフト）位置にあるときにエンジンバルブ６０６を閉じるためにバルブスプリング６０８によって及ぼされるピークスプリング力は、最大である。この形態では、バルブ６０６に対して滑りキャップ６２８を（例えば、バルブシート６１６に向かって）押し下げる力が、バルブ６０６に対して滑りキャップ６２８を（例えば、バルブシート６１６から離して）押し上げる力を上回るように、第２の流体チャンバー６３５が加圧される。結果として、滑りキャップ６２８は、外側ハウジング６２９内で機械的ストッパ（不図示）に対抗するストロークの底部に移動されるか、又はそこに保持される。なお、第２の流体チャンバー６３５に露出されている滑りキャップ６２８の表面積は第１の流体チャンバー６３４に露出されている滑りキャップ６２８の表面積を超えているので、これが発生するために、第２の流体チャンバー６３５の圧力が第１の流体チャンバー６３４内の圧力よりも必ずしも大きい必要はないことが理解されるであろう。このように、第１及び第２の流体チャンバー６３４、６３５が同じ圧力（例えば、２０バール）に加圧されると、滑りキャップ６２８は、外側ハウジング６２９内で、そのストロークの底部に未だに移動するか、又はそこに保持される。この形態では、第１の流体チャンバー６３４は、最小の充填容積（例えば、バルブ６０６が完全に閉じられているときの第１の流体チャンバー６３４の容積）を有している。
【００６８】
バルブ６０６が開かれると、ピストン６３２が滑りキャップ６２８に対して相対的に上方に強圧され、第１の流体チャンバー６３４内の圧力の増加を引き起こす。その結果、第１の流体チャンバー６３４内の流体は、開口６３６を通って流体供給源に逆流する。開口６３６は、必要な閉鎖圧力を維持するために十分な流体が第１の流体チャンバー６３４内に維持されるように、流体供給源への流体の逆流を絞る大きさである。一実施形態では、バルブ６０６が開かれるときの第１の流体チャンバー６３４内のピーク圧力は４５バールであり、供給圧力は２０バールである。
【００６９】
バルブ６０６がバルブトレインによって、最早、開いたままに保持されていないとき、第１の流体チャンバー６３４内の圧力がピストン６３２を滑りキャップ６２８に相対的に下向きに押し、それによってバルブ６０６を閉じる。ピストン６３２が下方に摺動し、そして第１の流体チャンバー６３４の容積が増大するにつれ、第１の流体チャンバー６３４はその内部の圧力が供給圧と一致するまで、開口６３６を介して補充される。換言すれば、開口６３６は、チャンバー圧力及び供給圧力が、バルブ６０６が閉じられている間のカムの回転期間中に均等化するような大きさである。
【００７０】
所望の場合には、ピークバルブリフト時にバルブスプリング６０８によって加えられるピークのスプリング力は、当該バルブスプリング６０８を図６Ｂに示される形態に遷移させることによって、減少させることができる。図６Ｂにおいて、バルブスプリング６０８は、「低い」力の状態で示されており、そこでは、ピーク圧力の量、したがって、ピークバルブリフトにあるときにエンジンバルブ６０６を閉じるためにバルブスプリング６０８によって及ぼされる力は、最小である。この形態では、第２の流体チャンバー６３５内の圧力が解放され、滑りキャップ６２８が、外側ハウジング６２９内で機械式ストッパ（不図示）に対抗してそのストロークの上端にバルブ６０６に相対的に上方に（例えば、バルブシート６１６から離れて）摺動することを許容している。第２の流体チャンバー６３５内の圧力は、さまざまな方法で解放され得、例えば、流体ポート６３７が、加圧された供給源から切り離され、代わりに、より低い圧力源又は大気に通気的に連結されるように、１つ以上の制御バルブを切り替えることによって解放される。第２の流体チャンバー６３５内の圧力が解放されたとき、滑りキャップ６２８は、第１の流体チャンバー６３４の圧力によって、及び/又は任意の機械的な付勢スプリング（不図示）によってより上方に付勢されている。滑りキャップ６２８が外側ハウジング６２９内でそのストロークの最上部に位置された状態で、第１の流体チャンバー６３４は最大充填容積を有し、そしてバルブリフトのピーク時にバルブスプリング６０８によって加えられる力は最小である。ピークのバルブリフト時にバルブスプリング６０８によって加えられる力を、再度、増大することが所望されるときは、第２の流体チャンバー６３５が再加圧され、バルブスプリング６０８を図６Ａに示される形態に戻す。
【００７１】
エンジンバルブ６０６のリフト量は同じままであるので、第１の流体チャンバー６３４の充填容積を増やすことは、バルブが開かれたときにその中に配置された流体が圧縮されねばなら割合を減少させることに有効である。換言すると、チャンバ−６３４への供給圧が一定に保たれているとしても、ピークのバルブリフトでのスプリング力は、充填容積が増加するにつれて低下される。このように、バルブリフトのピーク時にバルブスプリング６０８によって加えられる力は、第１の流体チャンバー６３４の充填容積の関数であり、（図６Ａに示されるように）充填容積を減少させることは、バルブリフトのピーク時にバルブスプリング６０８によって加えられる力を増加させる一方、（図６Ｂに示されるように）充填容積を増加させることは、ピークのバルブリフト時にバルブスプリング６０８によって加えられる力を減少させる。
【００７２】
なお、図６Ａ〜６Ｂの実施の形態において、圧力は第２の流体チャンバー６３５に供給又はそれから実質的に瞬間的に（例えば、１つのエンジンサイクル内で）除去されることが理解されるであろう。従って、当該スプリング力は実質的に瞬時に変更することができるのが、上に指摘されたように、スプリング力がエンジン負荷に反映するべく変更されねばならない状況において望ましい
【００７３】
しかしながら、エンジン速度のような徐々に変化するパラメータに比例するように、スプリング力を徐々に調整するのが望ましいこともある。（上述したように、エンジン速度は、一般的に、フライホイール及び/又はエンジンが搭載されている車両の慣性により徐々に変化する）。したがって、図６Ａ−６Ｂの実施形態においては、スプリング圧はまた、第１及び第２の流体チャンバー６３４、６３５に供給される供給圧力を（例えば、上述の流体制御装置３００,４００を使用して）調整することによって、徐々に調整することができる。
【００７４】
図７は、本発明に係るバルブスプリング７０８の別の実施形態を示し、そこではスプリング力は、流体圧力がエンジンバルブ７０６に結合されている凝集表面積を増加または減少させることによって調整され得る。バルブスプリング７０８は、バルブ７０６を閉鎖位置に向けて付勢し、そしてバルブ７０６が完全に閉じられているときバルブシート７１６に対してしっかりとバルブヘッド７１０を保持する。バルブスプリング７０８はまた、バルブの閉じ制御が要求されたときに、ロストモーションバルブトレインエレメントを縮めるのに十分な閉鎖力を提供する。図示のように、バルブスプリング７０８は、その内部に、それぞれの円筒状の容器７３０Ａ、７３０Ｂを画定する第１及び第２の外側ハウジング７２８Ａ、７２８Ｂを含んでいる。第１及び第２ピストン７３２Ａ、７３２Ｂが、それぞれ容器７３０Ａ、７３０Ｂ内に往復可能に配置され、それにより第１及び第２の流体チャンバー７３４Ａ、７３４Ｂをそれぞれ画定している。第１及び第２の流体チャンバー７３４Ａ、７３４Ｂは、第１及び第２の開口７３６Ａ、７３６Ｂを介して加圧された供給源に連結されている。当該第１ピストン７３２Ａは、コレット７１７によりエンジンバルブ７０６のバルブステム７１２に直接に結合されている。第２ピストン７３２Ｂは、延長ステム７１９に結合されている。
【００７５】
バルブステム７１２の近位端部７２１及び延長ステム７１９の遠位端部７２３は、油圧プレナム７２５を画定している第３のハウジング７２８Ｃ内に摺動可能に収容されている。ストッパ７０１が、延長ステム７１９のバルブの閉じ方向への移動を制限するために、第３ハウジング７２８Ｃに設けられている。なお、ストッパ７０１はまた、第２のピストン７３２Ｂの下方などの、システム内の別の場所に配置することができることが理解されるであろう。当該プレナム７２５は、チェックバルブ７０３を介して低圧流体供給源７０５（例えば、２〜４バールの圧力でのエンジンオイル供給源）に連結されている油圧アキュムレータ７１５に、制御バルブ７２７を介して結合されている。制御バルブ７２７は、油圧、電気的、空圧的、機械的、及び/又は磁気作動を含む、当該技術分野で公知の様々な作動技術のいずれかを用いて、エンジン制御コンピュータの指示の下に作動される。当該チェックバルブ７０３は、流体供給源７０５からアキュムレータ７１５への流体の一方向の流れが、例えば、ピストン漏れに対する補給を提供するのを許容している。
【００７６】
使用時には、バルブスプリング７０８のスプリング力は、制御バルブ７２７を開き且つ閉じることによって変えることができる。低減されたスプリング力が必要な場合には、制御バルブ７２７が開かれ、アキュムレータ７１５をプレナム７２５と流体連通状態に置く。エンジンバルブ７０６が開かれるとき、バルブステム７１２はプレナム７２５内にさらに摺動し、制御バルブ７２７を通してアキュムレータ７１５に作動油を強制的に送る。アキュムレータ７１５を充填するために必要な力は、第２のハウジング７２８Ｂに対して第２のピストン７３２Ｂを移動させるために必要な力よりも小さいので、延長ステム７１９は移動せず、代わりに、プレナム７２５内のそのストロークの底部に残っている。従って、第１の流体チャンバー７３４Ａ内の圧力とアキュムレータ７１５によって供給される比較的小さな圧力だけがエンジンバルブ７０６に作用する。エンジンバルブ７０６が続いて閉じられ、バルブステム７１２が部分的にプレナム７２５から引き出されるとき、延長ステム７１９はストッパ７０１に対して休止し、そして、アキュムレータ７１５はプレナム７２５を再充填するために制御バルブ７２７を通して作動液を強制して戻す。
【００７７】
増大されたスプリング力が必要な場合は、制御バルブ７２７が閉じられ、プレナム７２５内の作動流体の体積をロックする。エンジンバルブ７０６が開かれ、バルブステム７１２がプレナム７２５内に前進されるとき、相対的に非圧縮性の作動流体は、最早、制御バルブ７２７を通ってアキュムレータ７１５に逃げることができず、その代わりに、延長ステム７１９が上方に強圧される。結果として、第１及び第２の流体チャンバー７３４Ａ、７３４Ｂの両方の圧力がバルブ７０６に作用し、効果的にスプリング力を増加させる。
【００７８】
スプリング力は、流体圧力がバルブ７０６に結合される凝集表面積の関数であるので、スプリング力が調整される程度は種々の方法で制御することができる。例えば、第２ピストン７３２Ｂ及び/又は第２の流体チャンバー７３４Ｂの大きさは、第２のピストン７３２Ｂが係合されたときにスプリング力が変化する程度を調節するのに変えることができる。あるいは、又はさらに、当該プレナム７２５は、各々が独自のそれぞれの制御バルブと関連付けられたピストン/流体チャンバーの組合わせを有している複数の延長ステムに結合されてもよい。そのような実施形態では、開き又は閉じられる制御バルブの数は、スプリング力の調整により細かさを提供するように制御することができる。例えば、スプリング力の僅かな増加のみが要求される場合、第１の制御バルブは、エンジンバルブを単一の延長ステムに結合するように、閉じられてもよい。より多くのスプリング力が必要な場合には、２つ以上の制御バルブが、エンジンバルブを複数の延長ステムに結合するように、閉じられてもよい。
【００７９】
図８Ａ及び８Ｂは、例示的な分割サイクルエンジンのエンジン速度の関数としてのバルブスプリング圧の要求を示す。図８Ａに示されるように、バルブの運動量を克服するために要求されるバルブスプリングの圧力は、エンジンの６６０ｒｐｍアイドル速度で約１〜２バールを必要とするのみである。しかしながら、エンジン速度が増加するにつれてバルブの運動量が増加し、その運動量に打ち勝つのに要求されるバルブスプリング圧もまた増加する。例えば、４０００ｒｐｍで、所望のバルブ開閉特性を維持するためには、２０バールのバルブスプリング圧が必要とされる。図８Ｂは、アイドルスプリング圧要求に正規化されたスプリング圧の要求を示す。換言すれば、２０００ｒｐｍでのスプリング圧要求は、アイドルでのスプリング圧要求の１０倍であり、３０００ｒｐｍでのスプリング圧要求は、アイドルでのスプリング圧要求の２０倍である。
【００８０】
本明細書に開示される方法及び装置は、エンジン速度、エンジン負荷、スロットル位置、エンジン温度、周囲温度、周囲圧力、吸気圧、吸気温度、排気温度、エンジン年齢などを含む、種々のパラメータに基づいて、バルブスプリングのスプリング力を調整するために用いられ得る。スプリング力はまた、ユーザによる手動設定（例えば、ユーザがエンジン運転の「エコノミーモード」又は「スポーツモード」を選択することを可能にする、車両のダッシュボード上の制御スイッチ）に基づいて調整することも可能である。図９Ａ〜９Ｂは、そのようなパラメータに基づいて、バルブスプリングのスプリング力を変化させるための方法の様々な例示的実施形態を示す。
【００８１】
図９Ａは、本明細書に開示された様々なバルブスプリングシステムがエンジンの速度に基づいてスプリング力を調整するために使用されるときに、エンジン速度の関数としてのスプリング力を示している。第１のプロット９００は、図２Ａ−２Ｂのバルブスプリング２０８が図３Ａ〜３Ｃの流体制御システム３００と共に使用されたときの、第１の作動モードでのスプリング力を示している。図示のように、制御バルブ３３８は、バルブスプリング２０８の流体チャンバー２３４が、閾値エンジン速度（図示例では約３０００ｒｐｍ）に達されるまで、調整された低圧力源３４５と流体連通するように、図３Ｃに示される位置に留まる。閾値に達すると、制御バルブ３３８が、バルブスプリング２０８のスプリング力を高めるために、低圧力源３４５から高圧力源３４０に切り替えるように作動される。一実施形態では、エンジンの速度を検出するためにクランクポジションセンサが用いられている。当該クランクポジションセンサは、エンジン制御コンピュータ又は制御モジュールに結合され、これは順に、入力されたエンジン速度に基づいて制御バルブ３３８を選択的に作動させる。エンジンのアイドル速度とエンジンのレッドライン速度の間の任意のエンジン速度が、閾値速度のために用いられ得ることが理解されるであろう。例えば、閾値は約１０００ｒｐｍ、約３０００ｒｐｍ、及び/又は約５０００ｒｐｍであってもよい。流体制御システム３００はまた、エンジン速度が上述したように、高い圧力源３４０と低い圧力源３４５の中間の種々のレベルのいずれかの閾値より下又はより上であるときに、用いられるスプリング力を設定するために使用され得ることが理解されるであろう。
【００８２】
第１のプロット９００はまた、図５Ａ−５Ｂのバルブスプリング５０８、図６Ａ〜６Ｂのバルブスプリング６０８、又は図７のバルブスプリング７０８が使用されるときの、スプリング力を象徴している。例えば、所定の速度閾値が到達されたときに、図６Ａ〜図６Ｂのバルブスプリング６０８の流体ポート６３７は、加圧された供給源に接続され得る。これは、圧力が第２の流体チャンバー６３５内で増大することを許容し、それにより、第１の流体チャンバー６３４の容積を減少させ、バルブスプリング６０８のスプリング力の急激な増加を生成する。同様に、図７のバルブのバルブスプリング７０８の常開の制御バルブ７２７が、当該速度閾値が到達されたときに閉じられ、効果的に延長ステム７１９にバルブステム７１２を連結し、且つ急速にバルブスプリング７０８のスプリング力を増加させることができる。
【００８３】
第２のプロット９０２は、図２Ａ−２Ｂのバルブスプリング２０８が、図４の流体制御システム４００と共に使用されるときのスプリング力を示している。図示のように、当該調整器４４４は、エンジンがアイドリング及び/又は所定の閾値速度（図示例では約１２００ｒｐｍ）より下で作動されたときには、最小出力圧力４４５に設定されたままである。エンジン回転速度がその閾値を超えて増加すると、当該調整器４４４は、バルブスプリング２０８の流体チャンバー２３４に供給される出力圧４４５を高めるために調整され、それによってバルブスプリングのスプリング力を増加させる。当該調整器４４４が最大出力圧力に設定されている、第２の閾値（図示の実施形態では約４８００ｒｐｍ）が到達されるまでは、出力圧力４４５は、現在のエンジン速度に見合う程度に増加される。エンジン速度が低下すると、チャンバー２３４内の流体の充填物から圧力を解放すべく解放バルブ４６８が選択的に作動される一方、当該調整器４４４は、低い出力圧力にまで下げられる。上述したように、クランクポジションセンサが、エンジンの速度を検出するために用
いられ得る。当該クランクポジションセンサは、エンジン制御コンピュータ又は制御モジュールに結合され、それは順に解放バルブ４６８及び/又は調整器４４４を入力されたエンジン速度に基づいて選択的に作動させる。
【００８４】
第２のプロット９０２もまた、図２Ａ−２Ｂのバルブスプリング２０８が図３Ａ−３Ｃの流体制御システム３００と共に第２の作動モードにおいて使用されているか、又は。図５Ａ−５Ｂのバルブスプリング５０８、図６Ａ〜６Ｂのバルブスプリング６０８、又は図７のバルブスプリング７０８が使用されるときの、スプリング力の説明図である。例えば、図３Ａ−３Ｃの流体制御システム３００の制御バルブ３３８は、速度閾値が到達されたときに、流体チャンバー２３４内の圧力を徐々に増加させるために操作され得る。さらなる例として、速度閾値が到達されたときに、図６Ａ〜６Ｂのバルブスプリング６０８の第１及び第２の流体チャンバー６３４、６３５への供給圧力は、スプリング力を高めるために徐々に増加されてもよい。同様に、図７のバルブスプリング７０８の第１及び第２の流体チャンバー７３４Ａ、７３４Ｂへの供給圧力は、速度閾値が到達されたときにスプリング力を高めるために徐々に増加されてもよい。
【００８５】
したがって、図９Ａの方法に従えば、エンジンがアイドリング又は低速で作動しているとき、同じバルブスプリングが比較的低いスプリング力を有することができ、また、エンジンが高速で作動していると
きには、比較的高いスプリング力を有することが理解されるであろう。かくて、これは、より高いエンジン速度で実行するためのバルブトレインの能力を損なうこと無しに、エンジンが低速で作動しているときに、剛いバルブスプリングを圧縮することで無駄になるエネルギーを節約することが可能である。図示の閾値と傾斜比は単なる例示であり、広範囲の値のいずれも本発明の範囲から逸脱することなく、これらのパラメータのために選択することができる。
【００８６】
図９Ｂに示されるように、エンジン速度に対してスプリング力を変化させるための上述した原理は、エンジン負荷に基づいてスプリング力を変えるために適用することができる。例えば、プロット９０４は、図２Ａ−２Ｂのバルブスプリング２０８が図３Ａ〜３Ｃの流体制御システム３００と共に第１の作動モードで使用されたときのエンジン負荷の関数としてのスプリング力を示している。図示のように、閾値エンジン負荷（図示の実施形態では最大エンジン負荷の約４５％）に到達されるまで、バルブスプリング２０８の流体チャンバー２３４が調整された低圧力源３４５と流体連通するように、制御バルブ３３８は図３Ｃに示される位置に留まる。閾値に達すると、当該制御バルブ３３８は、バルブスプリング２０８のスプリング力を高めるために、低圧力源３４５から高圧力源３４０に切り替えるように作動される。一実施形態では、エンジン負荷は、吸入空気流量センサ、スロットル開度センサ、エンジン速度センサ、及び/又は、車速センサを含むことができる１つ以上のセンサからの読取値に基づいて推定される。これらのセンサのいずれかまたは全ては、エンジン制御コンピュータ又は制御モジュールに結合され、それは順に入力センサの読取値に基づいて制御バルブ３３８を選択的に作動させることができる。０％〜１００％の範囲内での任意のエンジン負荷又はエンジン負荷の範囲が、閾値エンジン負荷のために使用され得ることが理解されるであろう。エンジン負荷閾値はまた、アイドル時のエンジン負荷に対しても指定することができる。例えば、エンジン負荷閾値は、アイドル負荷の約２倍、アイドル負荷の約３倍、アイドル負荷の約４倍等とすることができる。流体制御システム３００はまた、エンジン負荷が、上述したように、高い圧力源３４０と低い圧力源３４５との中間にある、種々のレベルのいずれかの閾値より下又はより上であるときに、用いられるスプリング力を設定するために使用され得ることが理解されるであろう。
【００８７】
第１のプロット９０４はまた、図５Ａ−５Ｂのバルブスプリング５０８、図６Ａ〜６Ｂのバルブスプリング６０８、又は図７のバルブスプリング７０８が使用されるときのスプリング力を象徴している。例えば、所定の負荷の閾値が到達されたときに、図６Ａ〜図６Ｂのバルブスプリング６０８の流体ポート６３７は、加圧された供給源に結合されることができる。これは、圧力が第２の流体チャンバー６３５内で構築されるのを許容し、それにより、第１の流体チャンバー６３４の容積を減少させ、そしてバルブスプリング６０８のスプリング力の急激な増加を生成する。同様に、図７のバルブスプリング７０８の常開の制御バルブ７２７は、負荷閾値が到達されたときに閉じられ、バルブステム７１２を延長ステム７１９に効果的に結合し、そしてバルブスプリング７０８のスプリング力を急速に増加させることができる。
【００８８】
第２のプロット９０６は、図２Ａ−２Ｂのバルブスプリング２０８が図４の流体制御システム４００と共に使用されるときのスプリング力を示している。図示のように、当該調整器４４４は、エンジンがアイドリング及び/又はエンジン負荷が第１の閾値（図示の実施形態では約２０％負荷）より下で作動されたときには、最小出力圧力に設定されたままである。エンジン負荷がその閾値を超えて増加すると、当該調整器４４４は、バルブスプリング２０８の流体チャンバー２３４に供給される出力圧を高めるために調整され、それによってバルブスプリングのスプリング力を増加させる。当該調整器４４４が最大出力圧力に設定されている、第２の閾値（図示の実施形態では約８０％のエンジン負荷）が到達されるまでは、出力圧力は、現在のエンジン負荷に見合う程度に増加される。エンジン負荷が低下すると、チャンバー２３４内の流体の充填物から圧力を解放すべく解放バルブ４６８が選択的に作動される一方、当該調整器４４４は、低い出力圧力に下げられる。上述したように、エンジン負荷は、吸入空気流量センサ、スロットル開度センサ、エンジン速度センサ、及び/又は、車速センサを含むことができる１つ以上のセンサからの読取値に基づいて推定することができる。これらのセンサのいずれかまたはすべては、エンジン制御コンピュータ又は制御モジュールに結合され、順に入力センサの読取値に基づいて解放バルブ４６８及び/又は調整器４４４を選択的に作動させることができる。
【００８９】
第２のプロット９０６もまた、図２Ａ−２Ｂのバルブスプリング２０８が図３Ａ−３Ｃの流体制御システム３００と共に第２の作動モードにおいて使用されているか、又は。図５Ａ−５Ｂのバルブスプリング５０８、図６Ａ〜６Ｂのバルブスプリング６０８、又は図７のバルブスプリング７０８が使用されるときの、スプリング力の説明図である。例えば、図３Ａ−３Ｃの流体制御システム３００の制御バルブ３３８は、負荷閾値が到達されたときに、流体チャンバー２３４内の圧力を徐々に増加させるために操作され得る。さらなる例として、負荷閾値が到達されたときに、図６Ａ〜６Ｂのバルブスプリング６０８の第１及び第２の流体チャンバー６３４、６３５への供給圧力は、スプリング力を高めるために徐々に増加されてもよい。同様に、図７のバルブスプリング７０８の第１及び第２の流体チャンバー７３４Ａ、７３４Ｂへの供給圧力は、負荷閾値が到達されたときにスプリング力を高めるために徐々に増加されてもよい。
【００９０】
したがって、図９Ｂの方法に従えば、エンジンがアイドリング又は低負荷で作動しているとき、同じバルブスプリングが比較的低いスプリング力を有することができ、また、エンジンが高負荷で作動しているときには、比較的高いスプリング力を有することが理解されるであろう。かくて、これは、より高いエンジン負荷で実行するためのバルブトレインの能力を損なうこと無しに、エンジンが低負荷速で作動しているときに、剛いバルブスプリングを圧縮することで無駄になるエネルギーを節約することが可能である。図示の閾値と傾斜比は単なる例示であり、広範囲の値のいずれも本発明の範囲から逸脱することなく、これらのパラメータのために選択することができる。
【００９１】
本明細書に開示されたエンジンは、エンジン速度の広い範囲に亘って確実に作動するように構成することができる。特定の実施形態において、本発明に係るエンジンは、少なくとも約４０００ｒｐｍ、好ましくは少なくとも約５０００ｒｐｍ、そしてより好ましくは少なくとも約７０００ｒｐｍの速度で作動可能である。
【００９２】
本発明を特定の実施形態を参照して説明してきたが、多くの変更がここに説明された本発明の概念の精神及び範囲内でなされ得ることが理解されるべきである。例えば、クロスオーバーバルブの一方または両方が、ドウェル区分を有さないカム又はカムの無いシステムを使用して作動されてもよい。また、クロスオーバーバルブの一方または両方は、内方に開かれてもよい。また２つ以上のクロスオーバーバルブ、複数のクロスオーバー通路があってもよい。吸気及び排気のバルブ、且つそのことについてのエンジン内の他のバルブもまた、クロスオーバーバルブに関して本明細書に記載されたようなバルブスプリングを含むことができる。本明細書に開示されたエンジンは、２つのシリンダーのみを有するものに限定されない。したがって、本発明は、説明した実施形態に限定されるものではなく、以下の請求項の文言によって定義される全範囲を有することが意図されている。
【図１】
2014508241.tif 000003
【図２Ａ】
2014508241.tif 000004
【図２Ｂ】
2014508241.tif 000005
【図３Ａ】
2014508241.tif 000006
【図３Ｂ】
2014508241.tif 000007
【図３Ｃ】
2014508241.tif 000008
【図４】
2014508241.tif 000009
【図５Ａ】
2014508241.tif 000010
【図５Ｂ】
2014508241.tif 000011
【図６Ａ】
2014508241.tif 000012
【図６Ｂ】
2014508241.tif 000013
【図７】
2014508241.tif 000014
【図８Ａ】
2014508241.tif 000015
【図８Ｂ】
2014508241.tif 000016
【図９Ａ】
2014508241.tif 000017
【図９Ｂ】
2014508241.tif 000018
【国際調査報告】
2014508241.tif 000019